(57)【要約】【課題】停電等によるピット照明異常が生じた場合に、ピット内が真っ暗になることを防止して、保守作業員の不安を軽減することのできるエレベータのピットを提供する。【解決手段】ピット１１内の各箇所に蛍光性の塗料が塗布された蛍光塗料塗布部１１ａ−１〜１１ａ−４，１１ｂ−１〜１１ｂ−３，１１ｃ−１５，１４−１、１５ａ−１，１５ａ−２，１５ｂ−１等を配置する。これにより、停電等でピット１１内が真っ暗になることを防ぐ。また、第１ピット照明装置１６のピット照明異常の場合に、代替の照明装置である第２ピット照明装置１７をバッテリー駆動で点灯するが、この際に、第２ピット照明装置１７の輝度を所定レベルまで下げる調光制御を実行することで、第２ピット照明装置１７のバッテリーの消費量を抑制し、点灯時間を延ばして保守作業員の不安を軽減する。【選択図】図１
2010083637.tif 000002
【特許請求の範囲】
【請求項１】
所定の箇所に蛍光性の塗料が塗布されたことを特徴とするエレベータのピット。
【請求項２】
前記エレベータのピットは、
ピット内部の所定の位置に配置されると共に、蛍光性の塗料が塗布された蛍光塗料塗布部を備えたことを特徴とする請求項１記載のエレベータのピット。
【請求項３】
前記蛍光塗料塗布部は、
前記ピット内部の側面と、床面とのうちの少なくともいずれか一か所に配置されたことを特徴とする請求項２記載のエレベータのピット。
【請求項４】
前記蛍光塗料塗布部は、
前記ピット内部の所定位置に配置されたピットスイッチであって操作されるとエレベータを停止させるピットスイッチの近傍に配置されたことを特徴とする請求項２または３のいずれかに記載のエレベータのピット。
【請求項５】
前記蛍光塗料塗布部は、
前記ピット内部の所定位置に配置されたかご用の緩衝器と錘用の緩衝器との少なくともいずれかの近傍に配置されたことを特徴とする請求項２〜４のいずれかに記載のエレベータのピット。
【請求項６】
前記エレベータのピットは、
エレベータのピット内部を照らす第１ピット照明部と、
点灯駆動されることにより前記ピット内部を照らす第２ピット照明部と、
前記第１ピット照明部の異常状態を検出する異常検出部と、
前記異常検出部によって前記第１ピット照明部の異常状態が検出されたときに、前記第２ピット照明部を点灯駆動する点灯制御部と
を有するエレベータ用ピット照明制御装置を備えたことを特徴とする請求項１〜５のいずれかに記載のエレベータのピット。
【請求項７】
前記点灯制御部は、
前記第２ピット照明部を点灯駆動させた場合に、点灯駆動の開始からの時間経過に応じて、前記第２ピット照明部の輝度を下げることを特徴とする請求項６記載のエレベータのピット。
【請求項８】
前記点灯制御部は、
バッテリーによって前記第２ピット照明部を点灯駆動することを特徴とする請求項６または７のいずれかに記載のエレベータのピット。
【請求項９】
前記エレベータ用ピット照明制御装置は、さらに、
前記ピット内部の明るさを検出する明るさ検出部を備え、
前記異常検出部は、
前記明るさ検出部によって検出された前記ピット内部の明るさに基づいて、前記第１ピット照明部の異常状態を検出することを特徴とする請求項６〜８のいずれかに記載のエレベータのピット。
【請求項１０】
請求項１〜９のいずれかに記載のエレベータのピットを備えたことを特徴とするエレベータ装置。
【発明の詳細な説明】
【技術分野】
【０００１】
本発明は、エレベータのピットの照明に関する。
【背景技術】
【０００２】
従来の技術には、保守員作業員がエレベータのピット内に出入りする際にピット内を照明し、ピット内から立ち去る際に消灯するものがある（例えば特許文献１）。しかし従来のピット照明装置では、停電等によるピット照明異常が生じた場合には、ピット内の明るさを確保することができない。すなわち、通常、ピット内は外からの光が入り込まない構造であるため、停電等によりピット照明の異常が発生すると、ピット内は真っ暗になってしまう。これにより、保守作業員に多大な不安を与えてしまう。
【特許文献１】特開平１１−１６２６６２号公報
【発明の開示】
【発明が解決しようとする課題】
【０００３】
本発明は上記のような点に鑑みなされたもので、停電等によるピット照明異常が生じた場合に、ピット内が真っ暗になることを防止して、保守員作業員の不安を軽減するエレベータのピットを提供することを目的とする。
【課題を解決するための手段】
【０００４】
この発明のエレベータのピットは、
所定の箇所に蛍光性の塗料が塗布されたことを特徴とする。
【発明の効果】
【０００５】
この発明により、停電等が生じた場合に、ピット内が真っ暗になることを防止して、保守員作業員の不安を軽減するエレベータのピットを提供できる。
【発明を実施するための最良の形態】
【０００６】
実施の形態１．
以下、図１〜図４を参照して実施の形態１を説明する。
【０００７】
図１は、エレベータのピット１１の内部構成を示す外観図である。図１には、ピット照明制御装置１００のうち、ピット１１内に配置される複数の蛍光塗料塗布部、第１ピット照明装置１６、第２ピット照明装置１７等を示している。図１に示すように、ピット１１は複数の蛍光塗料塗布部を備えている。
【０００８】
（ピットの側面１１ａ）
このピット１１の側面１１ａの角部には、蛍光性の塗料が塗布された蛍光塗料塗布部１１ａ−１，１１ａ−２，１１ａ−３，１１ａ−４が配置されている。これらの蛍光塗料塗布部は、ピット１１の側面１１ａ、正面１１ｂ、床面１１ｃなどにじかに塗布したものでも良いし、蛍光性塗料を塗った部材（ステッカーやテープなど）をピット１１内の側面１１ａなどに貼り付けたものでも良い。
【０００９】
（ピットの床面１１ｃ）  また、床面１１ｃの隅にも、側面同様に、蛍光塗料塗布部１１ｃ−１，１１ｃ−２，１１ｃ−３，１１ｃ−４，１１ｃ−５が配置されている。また、床面１１ｃには、かご用の緩衝器１５ａ，釣合い錘用の緩衝器１５ｂが設けられている。
【００１０】
（ピットの正面１１ｂ）
ピット１１の正面１１ｂ（正面も側面ではあるが、図１ではピット出入口１８のある側面を正面と呼んでいる）にも、蛍光塗料塗布部１１ｂ−１、１１ｂ−２、１１ｂ−３が配置されている。また、このピット１１の正面１１ｂには、ピットスイッチ１４が設置されている。「ピットスイッチ」は、ピット１１内部の所定位置に配置され、操作されるとエレベータを停止させるスイッチである。
【００１１】
（第１ピット照明装置１６／第２ピット照明装置１７）
また、このピット１１の正面１１ｂには、ピット１１内を所定の輝度で照らす第１ピット照明装置１６が配設されている。さらに、第１ピット照明装置１６の近傍には、第１ピット照明装置１６が正常に点灯しない場合の代替の照明装置である第２ピット照明装置１７が設置されている。この第２ピット照明装置１７は、停電、故障等により第１ピット照明装置１６が正常に機能しない場合に、図示せぬバッテリーにより点灯駆動される。図１では、第１ピット照明装置１６の照明灯１６ａ、第２ピット照明装置１７の照明灯１７ａも表している。
【００１２】
このような構成のピット１１において、側面１１ａ、正面１１ｂ、床面１１ｃの各箇所に蛍光性の塗料が塗布された蛍光塗料塗布部が配置されているので、停電等が生じた場合に第１ピット照明装置１６が正常に機能しない場合においても、第２ピット照明装置１７が点灯される前は、これらの蛍光塗料塗布部によってピット１１が微かに照らされる。このため、暗闇による保守員作業員の不安を軽減することができる。
【００１３】
（ピットスイッチと蛍光塗料塗布部）
なお、上記側面１１ａ、床面１１ｃ、正面１１ｂの各箇所以外に、例えば、ピットスイッチ１４の近傍に同様の蛍光塗料塗布部１４−１を配置してもよい。これにより、停電状態になったときに蛍光塗料塗布部１４−１によってピットスイッチ１４が照らされるので、作業者は、エレベータが安全に停止している事、突然動く事が無い事を確認することができる。
【００１４】
（緩衝器と蛍光塗料塗布部）
また、緩衝器１５ａ，１５ｂの近傍（緩衝器自体に蛍光塗料塗布部を配置する場合も含む）に蛍光塗料塗布部１５ａ−１，１５ａ−２，１５ｂ−１を配置しておけば、作業者は、エレベータ動作時に動く一番危険な「かご」，「釣合い錘」の近くに近寄らないように、注意することができる。
【００１５】
なお、以上に説明した蛍光性の塗料（蓄光塗料）がどれくらいの明るさで、何時間位光るのかについては、ＪＩＳ規格に関連の記載がある。ＪＩＳ規格  ＪＩＳ  Ｚ  ９１０７（誘導標識）では、測定試料に照度約２００ルクス（ｌｘ）の明るさで２０分間光を照射し、照射を止めてから、５分後、１０分後、２０分後、６０分後の輝度＝カンデラ毎平方メートル（ｃｄ／ｍ２）を測定することになっている。そのＪＩＳ規格に基づいて測定した輝度が、５，１０，２０，６０分後にそれぞれ、１１０，５０，２４，７ｍｃｄ／ｍ２以上あれば、蓄光（標識）として有効な性能とされている。この性能を満たす市販品が存在するので、上記で説明した蛍光塗料塗布部に、この市販品を用いることができる。
【００１６】
（ピット照明制御装置１００）
次に、ピット照明制御装置１００の構成、及びピット１１内部の照明制御について説明する。
図２は、ピット照明制御装置１００の構成を示すブロック図である。図２に示すように、ピット１１はピット照明制御装置１００を備えている。ピット照明制御装置１００は、第１ピット照明装置１６（第１ピット照明部）、第２ピット照明装置１７（第２ピット照明部）、主制御部２１（異常検出部）、調光制御部２４（点灯制御部）、明るさ検出部２５、及び前述したそれぞれの蛍光塗料塗布部などを備える。
【００１７】
このピット照明制御装置１００において、主制御部２１は、記憶部２２を有し、明るさ検出部２５の検出結果に基づき異常を第１ピット照明装置１６の異常を検出して、調光制御部２４に指令を送る。記憶部２２には、異常検出に使用する明るさの基準値Ｌ０が記憶されている。計時部２３は、時間を計測する。調光制御部２４は、主制御部２１からの指令により第２ピット照明装置１７の照明灯１７ａの調光を制御する。明るさ検出部２５は、ピット１１内に設置された第２ピット照明装置１７（照明灯１７ａ）の明るさを検出する。図に示すように、バッテリー２６、蛍光塗料塗布部、第１ピット照明装置１６、第２ピット照明装置１７、明るさ検出部２５は、ピット１１内に配置されている。なお図１では、バッテリー２６、明るさ検出部２５は図示していない。
【００１８】
（主制御部２１）
主制御部２１は、ピット照明制御装置１００全体の制御を行う。主制御部２１は、明るさ検出部２５を用いて第１ピット照明装置１６の照明異常（ピット照明異常ともいう）を検出する。また、主制御部２１は、ピット照明異常を検出すると、調光制御部２４を用いて第２ピット照明装置１７を点灯駆動すると共に、計時部２３の計測により所定時間が経過すると、調光制御部２４を用いて第２ピット照明装置１７の輝度を制御（輝度を低減）する。前述のように、記憶部２２には明るさの基準値Ｌ０が記憶されており、主制御部２１は、後述するように、ピット１１内の明るさがこの基準値Ｌ０より低い場合にピット照明異常と判断する。
【００１９】
（計時部２３、調光制御部２４、明るさ検出部２５）
計時部２３は、ピット照明異常により第２ピット照明装置１７が点灯してからの経過時間をカウントする。調光制御部２４は、主制御部２１から出力される調光制御指令ＣＯＮＴ１に従って、第２ピット照明装置１７の輝度を調整するための調光制御を行う。明るさ検出部２５は、第１ピット照明装置１６により照らされるピット１１内の明るさを検出するものであり、ピット１１内の任意の場所（例えば側面１１ａ）に設置されている。
【００２０】
（主制御部２１の動作概要）
次に、ピット照明制御装置１００の主制御部２１の動作を説明する。
【００２１】
例えば、停電、故障などの発生により第１ピット照明装置１６により照らされるピット１１内が暗くなる（主制御部２１は明るさ検出部２５を用いて検出）と、主制御部２１は、調光制御部２４を通じてピット１１内の第２ピット照明装置１７を点灯すると共に、計時部２３により所定時間分の計時を開始する。第２ピット照明装置１７がバッテリー２６によって点灯駆動される場合は、上記所定時間とは、バッテリー容量応じた（例えばバッテリー容量が半分になる時間）時間に相当する。そして、所定時間（バッテリー容量に応じた時間）の経過後、主制御部２１は、調光制御指令ＣＯＮＴ１（輝度を所定値まで下げることを指令する信号）を調光制御部２４に出力し、調光制御部２４を用いて第２ピット照明装置１７（第２ピット照明装置１７の照明灯１７ａ）の輝度を必要最小限のレベルまで下げる調光制御を実行する。
【００２２】
このように、バッテリー容量に応じた時間の後に必要最小限のレベルで第２ピット照明装置１７を点灯することにより、その間のバッテリー２６の消費電力を抑えて、少しでも長い時間、第２ピット照明装置１７によりピット１１内を照らしておくことができる。
【００２３】
また、例えばバッテリー容量がなくなり、第２ピット照明装置１７を点灯できなくなったとしても、図１に示したように、ピット１１内の各箇所に塗布されたそれぞれの蛍光塗料塗布部によりピット１１内が微かに照らされるため、ピット１１内が真っ暗になることはない。
【００２４】
次に、明るさ検出部２５を用いた場合の動作について、図３のフローチャートを参照しながら説明する。
【００２５】
図３は実施の形態１におけるピット照明制御装置１００の動作を示すフローチャートであり、ピット１１内の明るさに応じてピット照明異常を判断する動作を示している。
【００２６】
第１ピット照明装置１６（照明灯１６ａ）が通常点灯されているとき、明るさ検出部２５がピット１１内の明るさを検出し、明るさ検出部２５による検出値（Ｌ１とする）が主制御部２１（異常検出部）に与えられる（ステップＳＴ１）。
【００２７】
ここで、主制御部２１は、明るさ検出部２５から受信した検出値Ｌ１と、記憶部２２に予め設定されている基準値Ｌ０とを比較する（ステップＳＴ２）。その結果、検出値Ｌ１が基準値Ｌ０以上であれば（Ｌ１≧Ｌ０）、つまり、第１ピット照明装置１６によって照らされているピット１１内が通常の明るさで照らされている状態であれば（ステップＳＴ３のＮｏ）、そのまま通常点灯が継続される（ステップＳＴ４）。
【００２８】
一方、検出値Ｌ１が基準値Ｌ０より低い場合（Ｌ１＜Ｌ０）、つまり、第１ピット照明装置１６によってピット１１内が通常の明るさで照らされていない状態であれば（ステップＳＴ３のＹｅｓ）、主制御部２１は、ピット照明異常と判断する（ステップＳＴ５）。この場合のピット照明異常とは、停電に限らず、第１ピット照明装置１６の電気的な故障なども含まれる。
【００２９】
ピット照明異常と判断した場合、主制御部２１は、調光制御部２４を通じてピット１１内の第２ピット照明装置１７を点灯すると共に（ステップＳＴ６）、計時部２３が所定時間分の計時を開始する（ステップＳＴ７）。この「所定時間」とは、上述したバッテリー容量に応じた時間である。すなわち、ピット照明異常の原因が停電によるものであれば、その時点で第２ピット照明装置１７がバッテリー２６によって点灯されているため、このバッテリー容量に応じた時間分の計時を行うものである。
【００３０】
所定時間の経過後（ステップＳＴ８のＹｅｓ）、主制御部２１は調光制御指令ＣＯＮＴ１を調光制御部２４に出力する。調光制御部２４は、受信した調光制御指令ＣＯＮＴ１に従って、第２ピット照明装置１７の輝度を必要最小限のレベルまで下げる調光制御を実行する。（ステップＳＴ９）。
【００３１】
このように、ピット１１内の明るさを検出するようにしたことで、停電以外に、例えば第１ピット照明装置１６の電気的な故障が生じた場合であっても、ピット照明異常として第２ピット照明装置１７を点灯することができるといったメリットがある。また、このような場合でも、第２ピット照明装置１７の輝度を下げて点灯することで、点灯時間を延ばすことができるので、ピット１１内が真っ暗になることを防いで保守作業員の不安を軽減できる。
【００３２】
なお、上記実施の形態１では、ピット１１内の各箇所に蛍光塗料塗布部を配置するようにしたが、少なくとも一カ所に蛍光性塗料を塗布することでも効果はある。また、前記のように、蛍光塗料塗布部は、蛍光塗料を塗った部材（ステッカーやテープなど）をピット１１内に貼り付けてもよいし、側面や床面の部材自体に蛍光性塗料を塗ったものでも良い。
【００３３】
以上のように、調光制御部２４は、第２ピット照明装置１７を点灯駆動させた場合に、点灯駆動の開始からの時間経過に応じて、第２ピット照明装置１７の輝度を下げる。ここで、「点灯駆動の開始からの時間経過に応じて、〜輝度を下げる」とは、前記のように所定の時間経過後に直ぐに第２ピット照明装置１７の輝度を所定レベルまで下げる場合でも良いし、時間経過と共に徐々に輝度を下げるような制御でも良い。
【００３４】
図４は、ピット照明制御装置１００のハードウェア構成の一例を示す図である。
【００３５】
図４は、コンピュータで実現されるピット照明制御装置１００のハードウェア資源の一例を示す図である。図４において、ピット照明制御装置１００は、プログラムを実行するＣＰＵ８１０（Ｃｅｎｔｒａｌ  Ｐｒｏｃｅｓｓｉｎｇ  Ｕｎｉｔ：中央処理装置）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示装置８１３、操作キー８１４、通信ボード８１６、フラッシュメモリ８２０と接続され、これらのハードウェアデバイスを制御する。
【００３６】
ＲＡＭ８１２は、揮発性メモリの一例である。ＲＯＭ８１１、フラッシュメモリ８２０等の記憶媒体は、不揮発性メモリの一例である。これらは、記憶装置あるいは記憶部の一例である。通信ボード８１６は、入力部、入力装置の一例である。また、通信ボード８１６、表示装置８１３などは、出力部、出力装置の一例である。通信ボード８１６は、ネットワーク（ＬＡＮ等）に接続されている。
【００３７】
フラッシュメモリ８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。
【００３８】
上記プログラム群８２３には、図２に示した「〜部」の機能を実行するプログラムが記憶されている。プログラムは、ＣＰＵ８１０により読み出され実行される。
【００３９】
ファイル群８２４には、「基準値Ｌ０」や「〜の判定結果」、「〜の算出結果」、「〜の抽出結果」、「〜の生成結果」、「〜の処理結果」として説明した情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。
【００４０】
また、以上の実施の形態１の説明において、「〜部」として説明したものは、「手段」、「〜回路」、「〜機器」であってもよく、また、「〜ステップ」、「〜手順」、「〜処理」であってもよい。すなわち、「〜部」として説明したものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェとの組み合わせで実施されても構わない。すなわち、プログラムは、以上に述べた「〜部」としてコンピュータを機能させるものである。
【００４１】
以上の実施の形態１で説明したピット照明制御装置１００では、実施の形態１に開示されている複数の構成要素の適宜な組み合わせにより、種々の形態を形成できる。例えば、実施の形態１に示される全構成要素から幾つかの構成要素を省略してもよい。さらに、異なる実施形態にわたる構成要素を適宜組み合わせてもよい。
【００４２】
実施の形態１のピット照明制御装置１００は、蛍光塗料塗布部を備えたので、停電等によるピット照明異常が発生した場合に、ピット内の各箇所に塗布された蛍光性塗料によりピット内が微かに照らされるため、ピット内が真っ暗になることを防止して、保守作業員の不安を軽減することできる。
【００４３】
実施の形態１のピット照明制御装置１００は、ピット内部の側面と、床面の少なくとも１か所に蛍光塗料塗布部を配置したので、ピット内が真っ暗になることを防止して、保守作業員の不安を軽減することできる。
【００４４】
実施の形態１のピット照明制御装置１００は、ピットスイッチ１４の近傍に蛍光塗料塗布部を配置したので、停電状態の場合でも、作業者は、エレベータが安全に停止している事、突然動く事が無い事を確認することができる。
【００４５】
実施の形態１のピット照明制御装置１００は、緩衝器の近傍に蛍光塗料塗布部を配置したので、作業者は、エレベータ動作時に動く一番危険なかごと錘の近くに近寄らないように注意することができる。
【００４６】
実施の形態１のピット照明制御装置１００は、第１ピット照明装置１が異常の場合に点灯する第２ピット照明装置を備えたので、第１ピット照明装置が異常の場合にも、作業者は安心して作業をすることができる。
【００４７】
実施の形態１のピット照明制御装置１００は、バッテリー容量に応じた時間経過後に必要最小限のレベルで第２ピット照明装置１７を点灯するので、バッテリー２６の消費電力を抑えて、少しでも長い時間、第２ピット照明装置１７によりピット１１内を照らすことができる。なお、バッテリー以外の電源で点灯駆動する場合にも省エネルギの効果がある。
【００４８】
実施の形態１のピット照明制御装置１００は、バッテリー２６により第２ピット照明装置を点灯するので、停電の際にも、作業者は作業をすることができる。
【００４９】
実施の形態１のピット照明制御装置１００は、明るさ検出部２５を備えたので、第１ピット照明装置１６の停電以外による電気的故障が生じた場合であっても、ピット照明異常として第２ピット照明装置１７を点灯することができる。また、このような場合でも、第２ピット照明装置１７の輝度を下げて点灯することで、点灯時間を延ばすことができるので、ピット１１内が真っ暗になることを防いで保守作業員の不安を軽減できる。
【００５０】
以上の実施の形態１では、以下のピット照明制御装置を説明した。
ピット内の所定の箇所に蛍光性の塗料が塗布されており、このピット内に設けられた第１ピット照明装置と、ピット内に設けられた第２ピット照明装置と、上記第１ピット照明装置の異常状態を検出する異常検出部と、この異常検出部によって上記第１ピット照明装置の異常状態が検出された際に、上記第２ピット照明装置を点灯駆動すると共に所定時間経過後に上記第２ピット照明装置の輝度を所定レベルまで下げるように調光制御する調光制御部とを具備したエレベータのピット照明制御装置。
【００５１】
以上の実施の形態１では、以下のピット照明制御装置を説明した。
ピット内の側面、床面、正面のうちのいずれか少なくとも１カ所に蛍光性の塗料が塗布されているエレベータのピット照明制御装置。
【００５２】
以上の実施の形態１では、以下のピット照明制御装置を説明した。
ピット内の所定の箇所に配置されたピットスイッチ部であってエレベータを安全に停止させる為のピットスイッチ部の近傍に蛍光性の塗料が塗布されているエレベータのピット照明制御装置。
【００５３】
以上の実施の形態１では、以下のピット照明制御装置を説明した。
ピット内の所定の箇所に配置された用の緩衝器と釣合い錘用の緩衝器との近傍に、蛍光性の塗料が塗布されているエレベータのピット照明制御装置。
【００５４】
以上の実施の形態１では、以下のピット照明制御装置を説明した。
ピット内の明るさを検出する明るさ検出部を備え、異常検出部は、明るさ検出部によって検出されたピット内の明るさに基づいて第１ピット照明装置の異常状態を検出するエレベータのピット照明制御装置。
【図面の簡単な説明】
【００５５】
【図１】実施の形態１におけるピットの内部構成を示す外観図。
【図２】実施の形態１におけるピット照明制御装置１００の機能構成を示すブロック図。
【図３】実施の形態１におけるピット照明制御装置１００の動作を示すフローチャート。
【図４】実施の形態１におけるピット照明制御装置１００のハードウェア構成。
【符号の説明】
【００５６】
１１  ピット、１１ａ  側面、１１ｂ  正面、１１ｃ  床面、１１ａ−１〜１１ｃ−５，１４−１，１５ａ−１，１５ｂ−１  蛍光塗料塗布部、１４  ピットスイッチ、１５ａ，１５ｂ  緩衝器、１６  第１ピット照明装置、１７  第２ピット照明装置、１８  ピット出入口、２１  主制御部、２２  記憶部、２３  計時部、２４  調光制御部、２５  明るさ検出部、２６  バッテリー、１００  ピット照明制御装置。
【図１】
2010083637.tif 000003
【図２】
2010083637.tif 000004
【図３】
2010083637.tif 000005
【図４】
2010083637.tif 000006